【手続補正書】
【提出日】平成15年10月1日(2003.10.1)
【手続補正１】
【補正対象書類名】特許請求の範囲
【補正対象項目名】全文
【補正方法】変更
【補正の内容】
【特許請求の範囲】
【請求項１】
（ｉ）固い平面の第一の保持構造内に配設された第一の気体陰極であって、気体に対して透過性で、液体に対して非透過性の、セルの中まで気体を通過させる第一の気体陰極と、
（ｉｉ）固い平面の第二の保持構造内に配設された、空気に対して透過性で、液体に対して非透過性の、セルの中まで気体を通過させる第二の気体陰極であって、前記第二の保持構造が、前記第一の保持構造が前記第二の保持構造に最も近づく第一の保持構造位置と、前記第一の保持構造が前記第二の保持構造から離れている第二の保持構造位置との間を前記第一の保持構造に対して移動可能であり、前記第一の気体陰極に電気的に接続されているような第二の気体陰極と、
（ｉｉｉ）前記第一の気体陰極と前記第二の気体陰極との間に配設され、可撓性かつ平面の第一の壁と、可撓性かつ平面の第二の壁とを有するソフトポケットであって、前記第一の壁が周辺と中心開口を有し、前記第一の壁の前記周辺が上端を含み、前記第二の壁が周辺と中心開口を有し、前記第二の壁の前記周辺が上端を含み、前記第一の壁の前記周辺が前記個々の上端に沿った個所を除き前記第二の壁の前記周辺に接続され、前記第一の壁の前記周辺が前記第一の保持構造に取り付けられ、前記第二の壁の前記周辺が前記第二の保持構造に取り付けられ、それにより前記第一の保持構造と、前記第一の気体陰極と、前記第一の壁と、前記第二の壁と、前記第二の保持構造と、前記第二の気体陰極とが協働してソフトポケット下部と、ソフトポケット上部と、前記第一と第二の壁の前記上端の間に定められるソフトポケット上開口とを有する液体保持ソフトポケットチャンバを定め、前記ソフトポケット上開口が前記第二の保持構造位置において開かれ、前記第一の保持構造位置において密閉されるようなソフトポケットと、
（ｉｖ）前記第一と第二の保持構造を前記第一の保持構造位置で固定するソフトポケット閉鎖機構と、
（ｖ）前記ソフトポケットチャンバ内に配設された金属陽極とを有する少なくとも一つの電池セル（ａ）と、
（ｂ）前記二つの気体陰極に電気的に接続された正の第一の電池端子と、
（ｃ）前記金属陽極に接続された負の第二の電池端子と、
を備える金属−気体セル蓄電池。
【請求項２】
前記電池セルが更に前記ソフトポケットチャンバ内に入れられた電解液を備えることを特徴とする請求項１記載の金属−気体セル蓄電池。
【請求項３】
前記電解液が、水酸化カリウム、水酸化ナトリオウム及び塩化ナトリウムから成る化合物のグループから選択された化合物を含む水溶液であることを特徴とする請求項１記載の金属−気体セル蓄電池。
【請求項４】
前記電解液が水酸化カリウムを含む水溶液であるであることを特徴とする請求項２記載の金属−気体セル蓄電池。
【請求項５】
気体が前記ソフトポケット上部から流れ出るように半透過性膜が前記ソフトポケット上部に配設され、前記半透過性膜が気体に対して透過性で、液体に対しては非透過性であることを特徴とする請求項１記載の金属−気体セル蓄電池。
【請求項６】
前記半透過性膜がＰＴＦＥで出来ていることを特徴とする請求項５記載の金属−気体セル蓄電池。
【請求項７】
前記ソフトポケット閉鎖機構が少なくとも一つのストラップを備えることを特徴とする請求項１記載の金属−気体セル蓄電池。
【請求項８】
前記ソフトポケット閉鎖機構が複数のストラップを備えることを特徴とする請求項１記載の金属−気体セル蓄電池。
【請求項９】
前記ソフトポケット閉鎖機構が一つ以上のボルト又は一つ以上のナットを備えることを特徴とする請求項１記載の金属−気体セル蓄電池。
【請求項１０】
前記上開口が前記第二の保持構造位置を越える前記ソフトポケットの前記上開口の拡がりを制限する拡がり押えを備えることを特徴とする請求項１記載の金属−気体セル蓄電池。
【請求項１１】
前記金属陽極が平面の陽極基部とタブ部を備えることを特徴とする請求項１記載の金属−気体セル蓄電池。
【請求項１２】
前記陽極基部が包袋内に配設されることを特徴とする請求項１１記載の金属−気体セル蓄電池。
【請求項１３】
前記陽極基部が上端と下端を有し、前記陽極基部の前記下端が前記陽極基部の上端より長さが短いことを特徴とする請求項１２記載の金属−気体セル蓄電池。
【請求項１４】
前記陽極基部の形状が台形であることを特徴とする請求項１３記載の金属−気体セル蓄電池。
【請求項１５】
前記金属陽極が、金属陽極材料が着けられる導電性支持構造を備えることを特徴とする請求項１記載の金属−気体セル蓄電池。
【請求項１６】
前記金属陽極が亜鉛であることを特徴とする請求項１５記載の金属−気体セル蓄電池。
【請求項１７】
前記第一と第二の気体陰極がそれぞれ第一と第二の空気陰極であることを特徴とする請求項１記載の金属−気体セル蓄電池。
【請求項１８】
前記第一と第二の保持構造が前記第一の保持構造位置にあるときは、前記金属陽極が弾力性保持部材により前記ソフトポケット内に確実に保持されることを特徴とする請求項１記載の金属−気体セル蓄電池。
【請求項１９】
前記弾力性保持部材が前記第二の保持構造内に配設されることを特徴とする請求項１８記載の金属−気体セル蓄電池。
【請求項２０】
前記少なくとも一つの電池セルが複数の電池セルであることを特徴とする請求項１記載の金属−気体セル蓄電池。
【請求項２１】
前記複数の電池セルが直列に電気的に接続されることを特徴とする請求項２０記載の金属−気体セル蓄電池。
【請求項２２】
前記電池が第一のセルと第二の最も外側のセルの間にサンドイッチされた複数の内部セルを備え、各内部セルにある前記陽極の前記タブ部が導体部材により隣接するセルの前記気体陰極に電気的に接続され、前記導体部材が前記陽極の前記タブ部に当接する部分を有することを特徴とする請求項１１記載の金属−気体セル蓄電池。
【請求項２３】
前記ソフトポケットが、断面がＷ字状の成形された一体部品を備えることを特徴とする請求項１記載の金属−気体セル蓄電池。
【請求項２４】
前記ソフトポケットが布で強化された膜を備えることを特徴とする請求項１記載の金属−気体セル蓄電池。
【請求項２５】
前記布で強化された膜が耐アルカリ性布と、前記布上の少なくとも一つの耐アルカリ性コーティングとを備えることを特徴とする請求項２４記載の金属−気体セル蓄電池。
【請求項２６】
前記耐アルカリ性布が、ビニロン、ナイロン、ポリプロピレン、ポリエチレン、エチレンプロピレンジエンモノマー、ブチルゴム、エチレン−プロピレンコポリマー、及びクロロスルホン化ポリエチレンで構成されるグループから選択され、前記少なくとも一つの耐アルカリ性コーティングがネオプレン、ポリプロピレン、ポリエチレン及びＰＶＣで構成されるグループから選択される少なくとも１つの材料からなることを特徴とする請求項２５記載の金属−気体セル蓄電池。
【請求項２７】
接着剤なしに機械力により、前記第一の壁の前記周辺が前記第一の保持構造に取り付けられ、前記第二の壁の前記周辺が前記第二の保持構造に取り付けられることを特徴とする請求項１記載の金属−気体セル蓄電池。
【請求項２８】
（ｉ）それぞれが固い平面の第一の保持構造内に配設された第一の気体陰極であって、気体に対して透過性で、しかし液体に対して非透過性の、セルの中まで気体を通過させる第一の気体陰極と、
（ｉｉ）固い平面の第二の保持構造内に配設された、空気に対して透過性で、液体に対して非透過性の、セルの中まで気体を通過させる第二の気体陰極であって、前記第二の保持構造が、前記第一の保持構造が前記第二の保持構造に最も近づく第一の保持構造位置と、前記第一の保持構造が前記第二の保持構造から離れている第二の保持構造位置との間を前記第一の保持構造に対して移動可能であり、第一の気体陰極に電気的に接続されているような第二の気体陰極と、
（ｉｉｉ）前記第一の空気陰極と前記第二の空気陰極との間に配設され、可撓性かつ平面の第一の壁と、可撓性かつ平面の第二の壁とを有するソフトポケットであって、前記第一の壁が周辺と中心開口を有し、前記第一の壁の前記周辺が上端を含み、前記第二の壁が周辺と中心開口を有し、前記第二の壁の前記周辺が上端を含み、前記第一の壁の前記周辺が前記個々の上端に沿った個所を除き前記第二の壁の前記周辺に接続され、前記第一の壁の前記周辺が前記第一の保持構造に取り付けられ、前記第二の壁の前記周辺が前記第二の保持構造に取り付けられ、それにより前記第一の保持構造と、前記第一の空気陰極と、前記第一の壁と、前記第二の壁と、前記第二の保持構造と、前記第二の空気陰極とが協働してソフトポケット下部と、ソフトポケット上部と、前記第一と第二の壁の前記上端の間に定められるソフトポケット上開口とを有する液体保持ソフトポケットチャンバを定め、前記ソフトポケット上開口が前記第二の保持構造位置において開かれ、前記第一の保持構造位置において密閉されるようなソフトポケットと、
（ｉｖ）前記第一と第二の保持構造を前記第一の保持構造位置で固定するソフトポケット閉鎖機構と、
（ｖ）全体が前記ソフトポケットチャンバ内に配設された亜鉛陽極であって、前記亜鉛陽極が平面の陽極基部とタブ部を備え、陽極基部が下端と上端を有し、前記陽極基部の前記下端が前記陽極基部の前記上端より長さが短い亜鉛陽極と、
（ｖｉ）前記ソフトポケット上部から気体を流し出せるように前記ソフトポケット上部に配設された気体に対して透過性で、液体に対して非透過性の半透過性膜とを有する第一の最も外側の電池セルと第二の最も外側の電池セルの間にサンドイッチされた複数の内部電池セル（ａ）と、
（ｂ）前記第一の最も外側の電池セルの前記二つの空気陰極に電気的に接続された正の第一の電池端子と、
（ｃ）前記第二の最も外側の電池セルの前記亜鉛陽極に接続された負の第二の電池端子とを備える亜鉛−空気セル蓄電池であって、
導体部材により各内部セルにある前記陽極の前記タブ部が隣接する電池セルの前記空気陰極に電気的に接続され、前記導体部材が、前記陽極の前記タブ部に当接する部分を有することを特徴とする亜鉛−空気蓄電池。
【請求項２９】
各電池セルが更に前記ソフトポケットチャンバ内に入れられた電解液を備えることを特徴とする請求項２８記載の亜鉛−空気セル蓄電池。
【請求項３０】
前記電解液が、水酸化カリウム、水酸化ナトリオウム及び塩化ナトリウムから成る化合物のグループから選択された化合物を含む水溶液であることを特徴とする請求項２９記載の亜鉛−空気セル蓄電池。
【請求項３１】
前記電解液が水酸化カリウムを含む水溶液であるであることを特徴とする請求項２９記載の亜鉛−空気セル蓄電池。
【請求項３２】
各セルにある前記第二の半透過性膜がＰＴＦＥで出来ていることを特徴とする請求項２８記載の亜鉛−空気セル蓄電池。
【請求項３３】
各セルにある前記ソフトポケット閉鎖機構が少なくとも一つのストラップを備えることを特徴とする請求項２８記載の亜鉛−空気セル蓄電池。
【請求項３４】
各セルにある前記ソフトポケット閉鎖機構が複数のストラップを備えることを特徴とする請求項２８記載の亜鉛−空気セル蓄電池。
【請求項３５】
各セル前記ソフトポケット閉鎖機構が一つ以上のボルトおよび一つ以上のナットを備えることを特徴とする請求項２８記載の亜鉛−空気セル蓄電池。
【請求項３６】
各セルにある前記上開口が前記第二の保持構造位置を越える前記ソフトポケットの前記上開口の拡がりを制限する拡がり押えを備えることを特徴とする請求項２８記載の亜鉛−空気セル蓄電池。
【請求項３７】
各セル部にある前記陽極基部が包袋内に配設されることを特徴とする請求項２８記載の亜鉛−空気セル蓄電池。
【請求項３８】
各セルにある前記陽極基部の形状が台形であることを特徴とする請求項２８記載の亜鉛−空気セル蓄電池
【請求項３９】
各セルにある前記亜鉛陽極が、金属陽極材料が着けられる導電性支持構造を備えることを特徴とする請求項２８記載の亜鉛−空気セル蓄電池。
【請求項４０】
各セルにある前記第一と第二の保持構造が前記第一の保持構造位置にあるときは、前記亜鉛陽極が弾力性保持部材により前記ソフトポケット内に確実に保持されることを特徴とする請求項２８記載の亜鉛−空気セル蓄電池。
【請求項４１】
各セルにある前記弾力性保持部材が前記第二の保持構造内に配設されることを特徴とする請求項４０記載の亜鉛−空気セル蓄電池。
【請求項４２】
前記複数の電池セルが直列に電気的に接続されることを特徴とする請求項２８記載の亜鉛−空気セル蓄電池。
【請求項４３】
前記ソフトポケットが、断面がＷ字状の成形された一体部品を備えることを特徴とする請求項２８記載の亜鉛−空気セル蓄電池。
【請求項４４】
前記ソフトポケットが布で強化された膜を備えることを特徴とする請求項２８記載の亜鉛−空気セル蓄電池。
【請求項４５】
前記布で強化された膜が耐アルカリ性布と、前記布上の少なくとも一つの耐アルカリ性コーティングとを備えることを特徴とする請求項４４記載の亜鉛−空気セル蓄電池。
【請求項４６】
前記耐アルカリ性布が、ポリプロピレン、ポリエチレン、エチレンプロピレンジエンモノマー、ブチルゴム、エチレン−プロピレンコポリマー、及びクロロスルホン化ポリエチレンで構成されるグループから選択され、前記少なくとも一つの耐アルカリ性コーティングがネオプレン、ポリプロピレン、ポリエチレン及びＰＶＣで構成されるグループから選択される少なくとも１つの材料からなることを特徴とする請求項４５記載の亜鉛−空気セル蓄電池。
【請求項４７】
接着剤なしに機械力により、前記第一の壁の前記周辺が前記第一の保持構造に取り付けられ、前記第二の壁の前記周辺が前記第二の保持構造に取り付けられることを特徴とする請求項２８記載の亜鉛−空気セル蓄電池。